(57)【特許請求の範囲】
【請求項１】
鋼材外周面との間に密閉空間を形成可能な、注入口と排気口とを有する絶縁体製カバーを、溶接継手部を含む所望長さ範囲の鋼材の外周囲に装着し、
前記注入口より熱硬化性樹脂原料を前記密閉空間に注入充填して硬化させ、
硬化後の熱硬化性樹脂と前記絶縁体製カバーとにより前記鋼材を被覆するようにした鋼材溶接継手部の防食被覆方法において、
前記鋼材外周面と前記絶縁体製カバーとの間に変形防止用のスペーサを介在させ、熱硬化性樹脂原料を前記密閉空間に注入する前に、該密閉空間を前記排気口から排気して減圧しておくことを特徴とする鋼材溶接継手部の防食被覆方法。
【請求項２】
前記スペーサが、合成樹脂からなる前記絶縁体製カバーと一体成型された、前記鋼材外周面方向に延びる複数の突起からなることを特徴とする請求項１に記載の鋼材溶接継手部の防食被覆方法。
【請求項３】
熱硬化性樹脂を前記密閉空間に注入する前に、該密閉空間に強化繊維を介在させることを特徴とする請求項１又は２に記載の鋼材溶接継手部の防食被覆方法。
【請求項４】
溶接継手部を含む所望長さ範囲の鋼材の外周囲に装着される、鋼材外周面との間に密閉空間を形成可能な、注入口と排気口とを有する絶縁体製カバーと、
前記注入口より前記密閉空間に注入充填して硬化される熱硬化性樹脂原料と、
を備えた鋼材溶接継手部の防食被覆装置において、
前記絶縁体製カバーの内側に、前記鋼材外周面との間に介在される変形防止用のスペーサを更に備えたことを特徴とする鋼材溶接継手部の防食被覆装置。
【請求項５】
前記スペーサが、合成樹脂からなる前記絶縁体製カバーと一体成型された、内側に延びる複数の突起からなることを特徴とする請求項４に記載の鋼材溶接継手部の防食被覆装置。
【請求項６】
前記絶縁体製カバーの内側に装着される強化繊維を更に備えたことを特徴とする請求項４又は５に記載の鋼材溶接継手部の防食被覆装置。
【発明の詳細な説明】
【技術分野】
【０００１】
本発明は、鋼管、形鋼、棒鋼等の鋼材の溶接継手部へ被覆材を被覆する際に適用して好適な鋼材溶接継手部の防食被覆方法及び装置に関する。
【背景技術】
【０００２】
一般に鋼材を溶接する場合、端部を互いに突き合せた状態で溶接する突き合せ溶接が行われている。
【０００３】
例えば、ガスや石油、水等を輸送するパイプラインを構成する鋼管は、耐食性を与えるためにポリエステル等の樹脂を予め被覆して用いられているが、このような被覆鋼管を複数本接続するために突き合せ溶接を用いる場合には、溶接する突き合せ端部とその近傍に被覆材が存在しない状態にして溶接し、その後溶接継手部とその近傍に被覆材を再被覆することが行われている。
【０００４】
従来、被覆鋼管の溶接継手部等への再被覆方法としては、図１に示すような延伸処理した架橋ポリエチレンからなる外層材１の裏面に、ブチルゴム系の粘着剤（内層材）２を塗布したシュリンクチューブ３を、該粘着剤２の表面に付着させている剥離ライナー４を除いて溶接継手部を含む対象範囲の周囲に装着した後、加熱することにより収縮させて被覆する防食技術が、例えば特許文献１に開示されている。
【０００５】
また、溶接継手部を含む対象範囲の周囲に金属製の割型を装着し、その内部にポリウレタン等の主剤と硬化剤を混合して注入し、硬化させることにより熱硬化性樹脂を被覆する防食技術が、例えば特許文献２に開示されている。
【先行技術文献】
【特許文献】
【０００６】
【特許文献１】特開２００６−１９４３６８号公報
【特許文献２】特開平９−３２７８３４号公報
【発明の概要】
【発明が解決しようとする課題】
【０００７】
しかしながら、前記特許文献１の防食技術では、埋設鋼管の溶接継手部を、溶接現地でシュリンクチューブを使って被覆防食するためには、バーナーや遠赤外線を利用した加熱装置を現地で用意して加熱しなければならない。その上、粘着剤は熱によって軟化するため、高温では付着力が大きく低下することから、鋼管が加熱されて熱膨張すると被覆部がずれたり剥れたりして金属面が露出することが起こるという問題がある。
【０００８】
この問題は、シュリンクチューブとモルタルを被覆する方法を組み合わせる場合も同様に存在する。
【０００９】
また、特許文献２のポリウレタン等を被覆する防食技術では、金属製の割型と鋼材との間に熱硬化性樹脂を充填しているが、金属製の割型は電気化学的な作用により鋼材に対する防食性能を阻害することがあるので、充填後にこの割型を取り外す必要があるという問題がある。
【００１０】
本発明は、前記従来の問題点を解決するべくなされたもので、加熱処理しても被覆材が鋼材表面に対してずれたり剥れたりすることがなく、しかも金属性の割型のように被覆層を形成後に取り外す必要もない鋼材溶接継手部の防食被覆方法及び装置を提供することを課題とする。
【課題を解決するための手段】
【００１１】
本発明は、鋼材外周面との間に密閉空間を形成可能な、注入口と排気口とを有する絶縁体製カバーを、溶接継手部を含む所望長さ範囲の鋼材の外周囲に装着し、前記注入口より熱硬化性樹脂原料を前記密閉空間に注入充填して硬化させ、硬化後の熱硬化性樹脂と前記絶縁体製カバーとにより前記鋼材を被覆するようにした鋼材溶接継手部の防食被覆方法において、前記鋼材外周面と前記絶縁体製カバーとの間に変形防止用のスペーサを介在させ、熱硬化性樹脂原料を前記密閉空間に注入する前に、該密閉空間を前記排気口から排気して減圧しておくようにして、前記課題を解決したものである。
【００１２】
ここで、前記スペーサを、合成樹脂からなる前記絶縁体製カバーと一体成型された、前記鋼材外周面方向に延びる複数の突起からなるようにすることができる。
【００１３】
また、熱硬化性樹脂を前記密閉空間に注入する前に、該密閉空間に強化繊維を介在させることができる。
【００１４】
本発明は、又、溶接継手部を含む所望長さ範囲の鋼材の外周囲に装着される、鋼材外周面との間に密閉空間を形成可能な、注入口と排気口とを有する絶縁体製カバーと、前記注入口より前記密閉空間に注入充填して硬化される熱硬化性樹脂原料と、を備えた鋼材溶接継手部の防食被覆装置において、前記絶縁体製カバーの内側に、前記鋼材外周面との間に介在される変形防止用のスペーサを更に備えたことを特徴とする鋼材溶接継手部の防食被覆装置を提供するものである。
【００１５】
ここで、前記スペーサを、合成樹脂からなる前記絶縁体製カバーと一体成型された、内側に延びる複数の突起からなるようにすることができる。
【００１６】
また、前記絶縁体製カバーの内側に装着される強化繊維を更に備えることができる。
【発明の効果】
【００１７】
本発明によれば、鋼材外周面と絶縁体製カバーとの間の密閉空間に熱硬化性樹脂原料を注入充填して硬化させるようにしたので、加熱処理したとしてもシュリンクチューブのように鋼材外周面に対してずれたり剥れたりすることがなく、しかも該カバーが絶縁体であることから取り外す必要もないため、カバー自体を２層目の被覆材として利用できることになり、一段と防食の信頼性を向上することができる。
【図面の簡単な説明】
【００１８】
【図１】従来のシュリンクチューブを模式的に示す正面図
【図２】本発明に係る第１実施形態に適用される絶縁体製カバーを模式的に示す正面図
【図３】前記絶縁体製カバーを構成する上カバーを模式的に示す斜視図
【図４】前記絶縁体製カバーを構成する上カバーと下カバーの内面に形成されているスペーサを抽出して模式的に示す斜視図
【図５】前記絶縁体製カバーを適用した鋼管の溶接継手部を含む範囲の防食被覆構造を示す縦断面図
【図６】本発明に係る第２実施形態の特徴を拡大して模式的に示す要部断面図
【図７】第２実施形態に適用される強化繊維を模式的に示す平面図
【発明を実施するための形態】
【００１９】
以下、図面を参照して、本発明の実施の形態について詳細に説明する。
【００２０】
図２は、本発明の第１実施形態に適用されるポリエチレン等からなるポリオレフィン製の絶縁体製カバー１０を示す正面図である。
【００２１】
この絶縁体製カバー１０は、上カバー１２と下カバー１４からなる割型から構成されており、上カバー１２には、図３に示されるように、例えば２箇所に管状の排気口１２Ａが形成され、下カバー１４には、図２に示されるように、例えば１箇所に同様の注入口１４Ａが形成されていると共に、対向する直径方向外側にそれぞれ延長形成された長手方向に延びるフランジ部１２Ｂ、１４Ｂを互いに当接させ、ねじや接着剤で接合することにより、鋼管の外周囲に装着可能な所定長さの管を構成する。
【００２２】
また、上カバー１２、下カバー１４の内周面には、図４にその特徴を抽出して模式的に示すように、多数の突起状のスペーサ１６が均一に分布して形成されている。このスペーサ１６は、図２にも示されているように、上カバー１２、下カバー１４と一体成型して形成されている。
【００２３】
図５は、本発明の防食被覆方法を適用した鋼管２０の溶接継手部２２とその近傍を含む所定長さ範囲の管中心位置における断面構造を示す縦断面図である。
【００２４】
本実施形態では、図２に二点鎖線で示すように、鋼管２０の外周面に上カバー１２と下カバー１４とを配置してフランジ部１２Ｂ、１４Ｂを互いにねじ等の固定部材で接合固定することにより、図５に示すように、該鋼管２０の溶接継手部２２を含む、溶接する際に被覆材２４を取り除いた除去端部２４Ａを超える長さ範囲周囲に絶縁体製カバー１０を装着する。
【００２５】
この絶縁体製カバー１０と鋼管２０の外周面との間には、密閉空間１８を形成可能とするために、パッキンとして機能すると共に、周囲側壁としても機能するシリコンゴム等からなる弾性リング部材２６が長手方向両端部に配設されている。
【００２６】
以上のように、排気口１２Ａと注入口１４Ａとを有する絶縁体製カバー１０を、溶接継手部２２を含む所定長さ範囲の鋼管２０の外周囲に装着した後、前記注入口１４Ａを閉じて前記排気口１２Ａから前記密閉空間１８内を排気して減圧する。
【００２７】
その後、前記排気口１２Ａを閉じて前記注入口１４Ａより、例えば不飽和ポリエステル樹脂からなる比較的低分子量の液状の熱硬化性樹脂主剤と硬化剤との混合液からなる熱硬化性樹脂原料を前記密閉空間１８に注入充填し、硬化させる。
【００２８】
充填された熱硬化性樹脂原料が硬化して、図５に示された状態にすることにより、熱硬化性樹脂３０と前記絶縁体製カバー１０とにより前記鋼管２０を２層構造で被覆することができる。
【００２９】
本実施形態の具体例としては、鋼管２０の呼び径が６００Ａ（外径が約６００ｍｍ）、被覆材２４の厚さが２．５ｍｍの場合であれば、絶縁体製カバー１０の厚さを３．０ｍｍ、長さを６００ｍｍ、密閉空間１８の厚さ（高さ）を５．０ｍｍとすることができる。
【００３０】
以上詳述した本実施形態によれば、鋼管２０の外周面と絶縁体製カバー１０との間の密閉空間１８に充填された熱硬化性樹脂３０と、それを覆う絶縁体製カバー１０とにより溶接継手部２２を含む所定長さ範囲を被覆することができるため、信頼性の高い防食被覆を達成することができる。
【００３１】
また、被覆外層を構成する、例えばポリオレフィン製の絶縁体製カバー１０は、予め工場で製作して用いることができると共に、絶縁体製カバー１０自体が防食層になることから、防食性能にばらつきが少ない上に防食性を高くすることができる。
【００３２】
また、密閉空間１８の内部を減圧してから樹脂を注入するため、内部に気泡等が残留しにくくなることから、防食性能や機械的性質が低下することを抑制することができる。
【００３３】
また、絶縁体製カバー１０の内部にはスペーサ１６が一体成型されているため、混合液からなる熱硬化性樹脂原料を注入する前に密閉空間１８を減圧した場合でも、該絶縁体製カバー１０に変形や破損が生じることを有効に防止できる。
【００３４】
更に、このスペーサ１６は絶縁体製カバー１０の内側表面積を大きくすることになるため、接着剤としての熱硬化性樹脂３０との接着力を高める働きをすることもできる。
【００３５】
図６は、本発明に係る第２実施形態の防食被覆方法を適用する際の密閉空間１８の一部を拡大して示す要部断面図である。
【００３６】
本実施形態においては、図７に示すような、スペーサ１６に対応する位置に孔３２が空いた不織布状のカーボン繊維等の強化繊維３４を、図６のように孔３２の位置にスペーサ１６が位置するように介在させ、その状態で前記第１実施形態と同様に密閉空間１８内を減圧し、該密閉空間１８内に熱硬化性樹脂原料を注入充填して熱硬化性樹脂３０を形成する。
【００３７】
本実施形態によれば、熱硬化性樹脂３０をＦＲＰ（Ｆiber  Ｒeinforced  Ｐlastic）にできるため、一段と強度を高めることができる。
【００３８】
なお、前記実施形態では、熱硬化性樹脂主剤が不飽和ポリエステル樹脂である場合を示したが、例えば接着剤等に利用されているエポキシ樹脂、ウレタン樹脂、ビニルエステル樹脂等であってもよい。
【００３９】
また、絶縁体製カバー１０も、他の熱可塑性樹脂やＦＲＰを使って形成してもよく、更にはより接着性の高いエポキシ系、ウレタン系の樹脂で形成してもよい。
【００４０】
また、密閉空間１８内は必ずしも減圧しなくてもよく、十分に粘度の低い熱硬化性樹脂原料であれば、例えば予め脱気して常圧で注入するようにしてもよい。この場合はスペーサ１６はなくてもよい。
【００４１】
注入口１４Ａも、１つでなく、下カバー１４の側面を含む複数位置に設けて、注入を迅速化することもできる。
【００４２】
また、スペーサ１６は絶縁体製カバー１０と一体成型したものに限らず、図４に示したようなシートに突起部が植設された別体として用意してもよい。
【００４３】
更に、鋼材は鋼管に限らず、形鋼、棒鋼等であってもよい。
【符号の説明】
【００４４】
１０…絶縁体製カバー
１２…上カバー
１４…下カバー
１２Ａ…排気口
１４Ａ…注入口
１２Ｂ、１４Ｂ…フランジ部
１６…スペーサ
１８…密閉空間
２０…鋼管
２２…溶接継手部
２４…被覆材
２４Ａ…除去端部
２６…弾性リング部材
３０…熱硬化性樹脂
３２…孔
３４…強化繊維
【図１】
0005783089.tif 000002
【図２】
0005783089.tif 000003
【図３】
0005783089.tif 000004
【図４】
0005783089.tif 000005
【図５】
0005783089.tif 000006
【図６】
0005783089.tif 000007
【図７】
0005783089.tif 000008